(57)【要約】      （修正有）【課題】メラミンスポンジの無駄をなくし、メラミンスポンジの交換作業も容易に行うことが可能なメラミンスポンジを用いた歯ブラシを提供する。【解決手段】柄１０と、柄の一方の端部に形成された保持部２０に着脱可能なメラミンスポンジ３０と、を有する歯ブラシ５０であって、保持部は、底板と底板の外周縁に沿って立設された側壁とを有し、メラミンスポンジの外形寸法は、保持部の内形寸法よりも大きく形成されていて、底板と側壁の内側面のうちの少なくとも一方には、メラミンスポンジの外底面または外周面に食い込ませるための爪部４０（円錐状体４２，リング状突出部４４）が配設されている。【選択図】図１
0003194964.tif 000002
【実用新案登録請求の範囲】
【請求項１】
柄と、該柄の一方の端部に形成された保持部に着脱可能なメラミンスポンジと、を有する歯ブラシであって、
前記保持部は、底板と当該底板の外周縁に沿って立設された側壁とを有し、
前記メラミンスポンジの外形寸法は、前記保持部の内形寸法よりも大きく形成されていて、
前記底板と前記側壁の内側面のうちの少なくとも一方には、前記メラミンスポンジの外底面または外周面に食い込ませるための爪部が配設されていることを特徴とする歯ブラシ。
【請求項２】
前記側壁の内側面における前記爪部は、前記側壁の内側面から径方向内側に向って起立する三角形断面形状をなしていて、
前記爪部において前記三角形断面形状を形成する斜面のうち前記保持部の底板側に位置する前記斜面は、前記底板と平行であることを特徴とする請求項１記載の歯ブラシ。
【請求項３】
前記側壁の内側面における前記爪部は、前記側壁の内側面に沿って周設されていることを特徴とする請求項２記載の歯ブラシ。
【請求項４】
前記爪部は、前記側壁の内側面における複数の高さ位置に配設されていることを特徴とする請求項３記載の歯ブラシ。
【考案の詳細な説明】
【技術分野】
【０００１】
本考案は、歯ブラシに関し、より詳細にはメラミンスポンジを用いた歯ブラシに関する。
【背景技術】
【０００２】
メラミンスポンジは、メラミンフォームとも称されることがあり、微細な気泡を内在した合成樹脂製のスポンジである。このようなメラミンスポンジを用いると、洗剤を使用することなく洗浄対象物の汚れを落とすことができ、広く好適に用いられている。
近年においては、たとえば特許文献１に示すように、メラミンスポンジを用いた歯ブラシが提供されていて、コーヒーやお茶の摂取により歯に付着したステイン等の汚れを簡単に落とすことを可能にした歯ブラシが知られている。
【先行技術文献】
【特許文献】
【０００３】
【特許文献１】登録実用新案第３１７１７１８号公報
【考案の概要】
【考案が解決しようとする課題】
【０００４】
特許文献１には、柄の先端部分にメラミンスポンジを装着した電動型メラミンスポンジ歯ブラシの構成が開示されている。特許文献１に開示されている電動型メラミンスポンジ歯ブラシにおいては、図示されているように長尺状のメラミンスポンジを柄の先端部分で折り曲げた状態で装着された構成が採用されている。このようなメラミンスポンジ歯ブラシが実際に歯と当接する部分は、長尺状のメラミンスポンジの限られた一部の範囲のみであるため、メラミンスポンジのほとんどの部分は、歯を磨く際に利用されていないことになる。
【０００５】
すなわち、特許文献１に開示されているメラミンスポンジ歯ブラシを使用するにあたっては、ランニングコストが高騰してしまうといった課題がある。
また、メラミンスポンジを装着する際においても、メラミンスポンジの長手方向の端部どうしは紐等を用いて巻き付ける等しなければならないため、メラミンスポンジン交換時における手間も煩雑であるという課題もある。
【０００６】
そこで本考案は、メラミンスポンジの無駄をなくし、メラミンスポンジの交換作業も容易に行うことが可能なメラミンスポンジを用いた歯ブラシの提供を目的としている。
【課題を解決するための手段】
【０００７】
考案者は、上記課題を解決するために鋭意研究を行った結果、以下の構成に想到した。
すなわち、柄と、該柄の一方の端部に形成された保持部に着脱可能なメラミンスポンジと、を有する歯ブラシであって、前記保持部は、底板と当該底板の外周縁に沿って立設された側壁とを有し、前記メラミンスポンジの外形寸法は、前記保持部の内形寸法よりも大きく形成されていて、前記底板と前記側壁の内側面のうちの少なくとも一方には、前記メラミンスポンジの外底面または外周面に食い込ませるための爪部が配設されていることを特徴とする歯ブラシ。
【０００８】
これにより、メラミンスポンジの交換が容易に行うことができ、かつ、保持部に保持させたメラミンスポンジの保持部からの脱落を防止することができる。
【０００９】
また、前記側壁の内側面における前記爪部は、前記側壁の内側面から径方向内側に向って起立する三角形断面形状をなしていて、前記爪部において前記三角形断面形状を形成する斜面のうち前記保持部の底板側に位置する前記斜面は、前記底板と平行であることが好ましい。
【００１０】
また、前記側壁の内側面における前記爪部は、前記側壁の内側面に沿って周設されていることが好ましい。
【００１１】
また、前記爪部は、前記側壁の内側面における複数の高さ位置に配設されていることが好ましい。
【００１２】
これらにより、保持部に装着したメラミンスポンジの脱落をさらに確実に防止することができる。
【考案の効果】
【００１３】
本考案にかかる歯ブラシの構成によれば、メラミンスポンジの上端面の全てが歯との当接部分として利用されることになるので、消耗部材であるメラミンスポンジの無駄を従来技術に比較して大幅に削減することができ、ランニングコストを低減させることができる。
また、保持部にメラミンスポンジを装着させる際における作業も簡単に短時間で行うことができ、かつ、装着したメラミンスポンジの脱落を防止することができるため、使い勝手が良好である。
【図面の簡単な説明】
【００１４】
【図１】本実施形態にかかる歯ブラシの斜視図である。
【図２】保持部の拡大斜視図である。
【図３】保持部の拡大平面図である。
【図４】図３内のＡ−Ａ線における断面図である。
【図５】保持部と保持部に装着する前のメラミンスポンジを示す断面図である。
【図６】図５を組み立てた状態を示す断面図である。
【考案を実施するための形態】
【００１５】
以下、本考案にかかる歯ブラシの実施形態について図面に基づいて具体的に説明する。図１に示すように、本実施形態にかかる歯ブラシ５０は、柄１０と、柄１０の先端部分に形成された保持部２０に着脱可能なメラミンスポンジ３０と、保持部２０に配設された爪部４０と、を有している。
【００１６】
柄１０の一方の端部に設けられた保持部２０は、図２および図３に示すように、平面視形状が円形をなす底板２２と、底板２２の外周縁に沿って立設された側壁２４とを有する凹部形状に形成されている。底板２２には円錐状体４２が側壁２４に沿った配列で複数配設されている。
【００１７】
また、側壁２４の内側面には径方向内側に突出するリング状突出部４４が配設されている。リング状突出部４４は側壁２４の内側面に沿って周設されている。リング状突出部４４は側壁２４の内側面における異なる高さ位置に複数配設されている。本実施形態においては３箇所にリング状突出部４４を配設した。リング状突出部４４は、リング状突出部４４の延設方向（側壁２４内側面に沿って周回する方向）と直交方向における断面形状が三角形形状に形成されている。図４に示すように、リング状突出部４４の三角形断面形状を形成する斜面４４Ａ，４４Ｂのうち、底板２２側の斜面４４Ｂは、底板２２と平行に（側壁２４の内側面に対して直交方向に）起立している。すなわちリング状突出部４４は、延設方向に対して直交方向における断面形状が直角三角形になっている。
【００１８】
このように本実施形態においては、円錐状体４２とリング状突出部４４とにより爪部４０を構成しているが、円錐状体４２またはリング状突出部４４のいずれか一方のみによって爪部４０が構成される形態を採用してもよい。
【００１９】
保持部２０に着脱可能に装着されるメラミンスポンジ３０は、図１および図５からも明らかなように、円柱体に形成されている。また、メラミンスポンジ３０の外形寸法（本実施形態においては外径寸法）は、保持部２０の内形寸法（本実施形態においては内径寸法）よりも大きく形成されている。本実施形態においては、メラミンスポンジ３０を保持部２０に装着する際は、メラミンスポンジ３０を縮径させるようにして弾性変形させた状態で保持部２０に装着することになる。このようにして保持部２０に装着されたメラミンスポンジ３０は、保持部２０内において弾性力（復元力）によりメラミンスポンジ３０の本来の形状を復元しようとする。このため、保持部２０の側壁２４の内側面にメラミンスポンジ３０が密着し、一旦保持部２０に装着したメラミンスポンジ３０は容易には保持部２０から脱落しない状態で保持部２０に装着されることになる。
【００２０】
さらに本実施形態においては、保持部２０の底板２２の上面と側壁２４の内側面とのそれぞれに、保持部２０に装着されたメラミンスポンジ３０に食い込ませるための爪部４０である円錐状体４２とリング状突出部４４を有している。円錐状体４２とリング状突出部４４からなる爪部４０は、図６に示すように、保持部２０に装着されたメラミンスポンジ３０の外底面および外周面に食い込み、いわゆるくさび効果を発揮することができる。特に、側壁２４の内側面に立設されたリング状突出部４４は、保持部２０の開口部側（上側）の斜面４４Ａが底板２２側に接近するに伴って底板２２に徐々に接近する傾斜面をなすと共に、保持部２０の底板２２側（下側）の斜面４４Ｂが、底板２２の上面に対して平行面となる直角三角形断面形状をなしている。
【００２１】
このようなリング状突出部４４の形態を採用することにより、メラミンスポンジ３０を保持部２０に押し込んで装着する際には大きな抵抗とはならず、かつ、一旦保持部２０にメラミンスポンジ３０が装着されれば、メラミンスポンジ３０の外周面に食い込み、保持部２０からメラミンスポンジ３０が離脱しようとする力に対する十分な抵抗力を得ることができる。
このように保持部２０に爪部４０を配設することにより、メラミンスポンジ３０の保持部２０への装着状態がより強固になり、歯みがき中にメラミンスポンジ３０を変形させるような力が作用しても、保持部２０からメラミンスポンジ３０が離脱してしまうことはなく、安心して歯みがきを行うことができる。
【００２２】
また、保持部２０底板２２に立設された円錐状体４２は、メラミンスポンジ３０の外底面に食い込み、保持部２０に装着されたメラミンスポンジ３０の回転方向に対するずれ（スリップ）を確実に防止する作用をなす。このような円錐状体４２は、保持部２０が柄１０に対して回転駆動可能な電動歯ブラシの場合において特に有効である。手動の歯ブラシ５０においても、円錐状体４２を配設することにより、保持部２０に装着されたメラミンスポンジ３０のずれ防止効果を得ることができ、メラミンスポンジ３０が保持部２０からの離脱をより確実に防止することができる点において好都合である。
【００２３】
以上、実施形態に基づいて本考案にかかる歯ブラシ５０の説明を行ったが、本考案は以上に示した実施形態に限定されるものではなく、考案の要旨を変更しない範囲において各構成を変形させた場合であっても本考案の技術的範囲に属する。たとえば、本実施形態においては、メラミンスポンジ３０を円柱形状に形成しているが、矩形形状に代表される他の多角形形状に形成したメラミンスポンジ３０の形態を採用することもできる。
【００２４】
また、図示しないが、錐体に形成したメラミンスポンジ３０を採用すれば、歯と歯の間の汚れを落とす際に好都合であるし、錐台状に形成したメラミンスポンジ３０を採用すれば、本実施形態に比較して歯の表面に加わる圧力が増加するため、歯の汚れが落ちやすくなる点において好都合である。
【００２５】
さらには、保持部２０の具体例として、平面視形状が円形に形成された保持部２０を用いた実施形態について説明しているが、保持部２０（底板２２）の平面視形状は円形形状に限定されるものではなく、多角形形状の平面視形状に形成されていてもよい。保持部２０の平面視形状とメラミンスポンジ３０の平面視形状は共に同形状であることが好ましく、さらには、メラミンスポンジ３０の方が保持部２０の凹状部分の内側空間よりも一回り大きく形成されていることが好ましい。
【００２６】
また、本実施形態においては、リング状突出部４４の底板２２側における斜面４４Ｂを側壁２４の内側面に対して直交方向（底板２２と平行方向）に延出させた形態について説明しているがこの形態に限定されるものではない。リング状突出部４４の底板２２側の斜面４４Ｂを保持部２０の開口部側に向けて傾斜する傾斜面にすることもできる。また、斜面４４Ｂを斜面４４Ａと同様に、側壁２４の内側面から延出（離反）するに伴い、徐々に底板２２側（下側）に接近する傾斜面に形成してもよい。これによりメラミンスポンジ３０をさらに強力に保持することができる。
【００２７】
さらには、リング状突出部４４は側壁２４に一箇所のみに配設した形態を採用してもよい。さらにまた、側壁２４の内側面へのリング状突出部４４の配設に代えて、円錐状体４２を側壁２４の内側面に配設させることもできる。
そして、以上に説明した実施形態と変形例を適宜組み合わせた構成を採用することも可能である。
【符号の説明】
【００２８】
１０  柄，２０  保持部，２２  底板，２４  側壁，
３０  メラミンスポンジ，
４０  爪部，４２  円錐状体，４４  リング状突出部，４４Ａ，４４Ｂ  斜面，
５０  歯ブラシ
【図１】
0003194964.tif 000003
【図２】
0003194964.tif 000004
【図３】
0003194964.tif 000005
【図４】
0003194964.tif 000006
【図５】
0003194964.tif 000007
【図６】
0003194964.tif 000008